(57)【要約】【課題】イオン発生装置を着脱自在な構成としてメンテナンスを容易とすると共に、プラスイオンとマイナスイオンを均等に発生しながら、室内の遠くまで送出可能なイオン拡散装置を提供する。【解決手段】送風機３から吹出口４に至る通流路の通流面に合致させて、通流方向に交差する方向に離隔するプラスイオン発生部１３Ａ及びマイナスイオン発生部１３Ｂが設けられているイオン発生面１１ａを露出する姿勢で、イオン発生装置１０を収容するイオン発生装置収容部を設け、イオン発生装置１０を、そのイオン発生面１１ａを通流路の通流面に合致した形状とするカートリッジ式として、装置前面の吹出口側に設ける差込口６から出し入れ可能とし、前記イオン発生装置収容部に、イオン発生面を通流面に露出した姿勢に着脱自在とするイオン拡散装置１とした。【選択図】図１
2010055946.tif 000002
【特許請求の範囲】
【請求項１】
プラズマ放電により発生させたプラスイオン及びマイナスイオンを室内に拡散させるイオン拡散装置において、
吸込口から吸い込んだ空気を、装置内に形成された通流路を通って吹出口から室内へ吹き出すための空気流を生成する送風機と、
通流方向に交差する方向に離隔するプラスイオン発生部及びマイナスイオン発生部を有し、前記プラスイオン発生部から発生したプラスイオン及び前記マイナスイオン発生部から発生したマイナスイオンを前記通流路を通過する空気に含ませるイオン発生器を備えたイオン発生装置と、を設け、
前記通流路の壁面を形成する一面の通流面に合致させて、前記イオン発生器が設けられているイオン発生面を露出する姿勢で、前記イオン発生装置を収容するイオン発生装置収容部を設け、
前記イオン発生装置を、前記イオン発生面を前記通流面に合致した形状とするカートリッジ式として、前記吹出口側に設ける差込口から出し入れ可能とし、前記イオン発生装置収容部に、前記イオン発生面を前記通流面に露出した姿勢に着脱自在としたことを特徴とするイオン拡散装置。
【請求項２】
前記一面が前記通流路の下部壁面を形成する下部横風向板から形成され、前記イオン発生面を、前記下部横風向板の通流面に合致させた曲面としたことを特徴とする請求項１に記載のイオン拡散装置。
【請求項３】
前記イオン発生装置が、挿入ガイド部と位置決めガイド部と、装置本体側の係止部に係止して位置固定するレバー部材を一体に備えると共に、前記下部横風向板に、前記イオン発生面を露出する切欠部を設け、
前記挿入ガイド部と位置決めガイド部を介して、前記イオン発生装置を前記差込口から挿入して前記イオン発生装置収容部まで押し込み、前記位置決めガイドと固定ロック部を介して、前記イオン発生面を前記切欠部に露出して前記通流面に合致させた姿勢で固定する構成としたことを特徴とする請求項２に記載のイオン拡散装置。
【請求項４】
前記通流路に、プラスイオン発生部及びマイナスイオン発生部のそれぞれのイオン発生部毎の通流路に仕切る縦風向板を設けたことを特徴とする請求項１から３のいずれかに記載のイオン拡散装置。
【請求項５】
前記下部横風向板と通流路の上部壁面を形成する上部横風向板との間の通流路を仕切る中間横風向板を設けて、前記送風機から前記吹出口に至る通流路を複数段の層流通路に仕切ると共に、前記下部横風向板の通流面に沿ってプラスイオン発生部及びマイナスイオン発生部を交互に所定ピッチで一列に備える長尺なイオン発生面を形成するように前記イオン発生装置を複数併設し、
それぞれのイオン発生装置毎にカートリッジ式のイオン発生カートリッジとして、それぞれのイオン発生カートリッジにそれぞれ挿入ガイド部と位置決めガイド部と固定ロック部とを設け、
前記イオン発生装置収容部を、それぞれのイオン発生カートリッジを個別に収容する収容部として、複数のイオン発生カートリッジをそれぞれ個別に、前記差込口から挿脱自在とし、
それぞれのイオン発生部毎の通流路に仕切る前記縦風向板を前記複数段の層流通路を貫通するように配設したことを特徴とする請求項４に記載のイオン拡散装置。
【請求項６】
前記縦風向板を、前記イオン発生装置を併設した幅方向に対して広角度に吹き出すようにそれぞれの縦風向板に角度を付けたことを特徴とする請求項５に記載のイオン拡散装置。
【請求項７】
前記イオン発生カートリッジが、外部電極に接続して入出力を行う入出力コネクタ部と、該入出力コネクタ部を介して得られた電力から所定の放電電圧を発生する高電圧発生回路と駆動制御回路を備えてプラスイオン発生部及びマイナスイオン発生部を所定間隔で駆動制御する制御基板と、前記イオン発生部にて発生されるイオンを検出するイオンセンサとを備えていることを特徴とする請求項５または６に記載のイオン拡散装置。
【請求項８】
前記イオンセンサを、前記イオン発生カートリッジのマイナスイオン発生部の風下側に設置するマイナスイオン検知センサとしたことを特徴とする請求項７に記載のイオン拡散装置。
【請求項９】
前記イオン発生器のプラスイオン発生部及びマイナスイオン発生部が備えるプラスイオン発生電極とマイナスイオン発生電極とを、それぞれ二個の発生電極を近接して設けたダブル電極型としたことを特徴とする請求項１から８のいずれかに記載のイオン拡散装置。
【請求項１０】
前記イオン発生カートリッジを、ダブル電極型の前記イオン発生器を二列並列すると共に、それぞれのイオン発生器のプラスイオン発生電極とマイナスイオン発生電極を、その正負の極性を逆とした二段イオン発生器型としたことを特徴とする請求項９に記載のイオン拡散装置。
【請求項１１】
前記二段イオン発生器型のそれぞれの列のイオン発生器を交互に作動させることを特徴とする請求項１０に記載のイオン拡散装置。
【請求項１２】
前記イオン発生カートリッジに軸支部を介して前記レバー部材を回動自在に装着し、該レバー部材に、カートリッジ挿脱時に把持する取っ手部と、挿入した後で本体装置側に設ける係合部に係止して固定するフック部とを設け、
前記取っ手部を把持して前記レバー部材を回動操作して、前記フック部を、本体装置側に設ける係合部に係止して位置固定すると共に、
前記挿入ガイド部を、前記イオン発生カートリッジの枠体の側部に設けられ、該カートリッジの挿入時に前記イオン発生装置収容部を形成するガイドフレームに当接して摺動するガイド突部とし、
前記位置決めガイド部を、前記イオン発生装置収容部を形成する収容部フレームに当接して挿入端位置を規制する当り面と前記フック部を前記係合部に係合させて所定位置に固定する際に前記下部横風向板の裏面フレームに当接して位置決めされるガイド面とから構成したことを特徴とする請求項５から１１のいずれかに記載のイオン拡散装置。
【請求項１３】
前記差込口を閉止・開放する開閉カバーを設け、前記イオン発生カートリッジを所定位置まで挿入して前記フック部を前記係合部に係合させた固定ロック位置に前記レバー部材を回動したときに、前記開閉カバーの閉止を可能とし、前記レバー部材が固定ロック位置まで回動されていない状態では、前記レバー部材が前記開閉カバーの閉止を妨害することを特徴とする請求項１２に記載のイオン拡散装置。
【請求項１４】
前記送風機を、前記複数のイオン発生装置を配設した列に向けて送風する長さのファン長さを有するクロスフロー送風機とし、複数段の層流通路に仕切られる通流路を、クロスフローファンに近い内周側の前記下部横風向板と次の第二横風向板とで仕切られる第一通流路と、第二横風向板と次の第三横風向板とで仕切られる第二通流路と、第三横風向板と第四横風向板とで仕切られる第三通流路と、第四横風向板と前記上部横風向板とで仕切られる第四通流路とを設けると共に、前記第一通流路の風速を最も遅い風速とし、前記第二通流路、前記第三通流路の風速を徐々に高くして、前記第四通流路の風速を最も速くしたことを特徴とする請求項５から１３のいずれかに記載のイオン拡散装置。
【請求項１５】
前記吹出口を装置本体の正面上部に設け、上から順に、第四通流路、第三通流路、第二通流路、第一通流路を配設し、最下段の第一通流路の下側に前記差込口を設けたことを特徴とする請求項１４に記載のイオン拡散装置。
【請求項１６】
装置本体に運転停止操作部を設けると共に、該操作部に、前記送風機の回転速度を設定する運転モード設定部と、新たなイオン発生カートリッジを装着したことを設定するカートリッジ装着時期設定部と、タイマー設定部と、新たなイオン発生カートリッジを装着して運転開始後の所定時間経過後に、カートリッジ交換を推奨する交換推奨表示部と、それぞれのイオン発生カートリッジが発生するイオンが所定量以上か以下かを表示するレベル表示部とを配設したことを特徴とする請求項５から１５のいずれかに記載のイオン拡散装置。
【請求項１７】
外部電源に接続すると共に信号の入出力を行う入出力コネクタ部と、該入出力コネクタ部を介して得られた電力から所定の放電電圧を発生する高電圧発生回路と駆動制御回路を備えてプラスイオン発生電極とマイナスイオン発生電極を駆動制御する制御基板と、プラスイオン発生電極とマイナスイオン発生電極とをそれぞれ二個近接して設けたダブル電極型のイオン発生部を備えるイオン発生器と、該イオン発生器が発生するイオンを検出するイオンセンサと、を備えたことを特徴とするイオン発生カートリッジ。
【請求項１８】
前記イオンセンサが、マイナスイオン発生電極から発生するマイナスイオンを検知するマイナスイオン検知センサであることを特徴とする請求項１７に記載のイオン発生カートリッジ。
【請求項１９】
カートリッジ挿脱時に把持する取っ手部と、挿入した後で所定位置に固定するフック部とを備えるレバー部材を装着し、カートリッジの枠体の側部に、カートリッジ挿入時にガイド機能を発揮するガイド突部と、当り面と、ガイド面を設けたことを特徴とする請求項１７または１８に記載のイオン発生カートリッジ。
【請求項２０】
前記イオン発生カートリッジが、正負のイオン発生電極が露出しているイオン発生面を上から見て平面視矩形状であって、前記ダブル電極型のイオン発生器を、そのイオン発生電極部の正負の極性を逆として二列並列した二段イオン発生器型とすると共に、前記イオン発生面を通流面に合致した曲面としたことを特徴とする請求項１７から１９のいずれかに記載のイオン発生カートリッジ。
【請求項２１】
前記二段イオン発生器型のそれぞれの列のイオン発生器を交互に作動させることを特徴とする請求項２０に記載のイオン発生カートリッジ。
【発明の詳細な説明】
【技術分野】
【０００１】
本発明は、イオン発生装置と送風機を備えるイオン拡散装置に関し、特に、イオン発生装置を交換容易として安定したイオン供給能力を維持可能なイオン拡散装置およびイオン発生カートリッジに関する。
【背景技術】
【０００２】
近年、空気中に発生させたプラスイオンとマイナスイオンによって空気中に浮遊する細菌を殺菌しウイルスを不活化して、空気を清浄する作用が見出され、この技術を応用した空気清浄機などの製品が注目を集めている。
【０００３】
また、プラスイオンとマイナスイオンを発生させるイオン発生部は、針状の正負の放電電極と、板状の誘導電極との間でそれぞれ放電させて、正の放電電極部からプラスイオンを発生し、負の放電電極からマイナスイオンを発生するプラズマ放電式のものが知られている。針状の正負の放電電極部でプラズマ放電することで、空気および水蒸気がイオン化され、プラスイオンとマイナスイオンが発生する。プラスイオンとしては、水素イオンの周囲に複数の水分子が付着したＨ+（Ｈ2Ｏ）m（ｍは自然数）が、マイナスイオンとしては、酸素イオンの周囲に複数の水分子が付着したＯ2-（Ｈ2Ｏ）n（ｎは自然数）が主に発生する。
【０００４】
上記したＨ+（Ｈ2Ｏ）mとＯ2-（Ｈ2Ｏ）nとが浮遊菌の表面に付着すると、化学反応をおこして活性種である過酸化水素（Ｈ2Ｏ2）または水酸基ラジカル（・ＯＨ）を生成する。そのために、この活性種の分解作用により浮遊菌が破壊される。このようにして、空気中の細菌やウイルスなどの細菌類を殺菌、あるいは、不活化して除去することができるとされている。
【０００５】
上記したように、Ｈ+（Ｈ2Ｏ）mとＯ2-（Ｈ2Ｏ）nとを同時に室内に供給することで、室内の空気中に含まれる細菌類を殺菌・不活化することが可能となる。しかし、イオン発生部である針状の放電電極部に不純物や粉塵などが付着した場合には、イオン発生効果が低下してしまい、所望されるイオン発生量を供給できなくなってしまう。
【０００６】
空気中の細菌類を殺菌・不活化して除去するためには、細菌類に付着するプラスイオンとマイナスイオンの量が必要なので、単位容積当り所定量以上のプラスイオンとマイナスイオンが必要となって、イオン発生効果が悪化したイオン発生部は、その原因を修復するか交換することが好ましい。
【０００７】
そのために、空気処理ユニットやイオン拡散装置を取り外しての清掃やメンテナンスを容易とするために、空気処理ユニットやイオン拡散装置をそれらを装着するベース部に対して再脱着可能とした空気処理装置及びイオン拡散装置が既に提案されている（例えば、特許文献１参照）。
【特許文献１】特許第４１１４６０２号公報
【発明の開示】
【発明が解決しようとする課題】
【０００８】
室内に、プラスイオンとマイナスイオンを供給して、空気中に浮遊する細菌類を殺菌・不活化して空気を清浄することは可能であるが、プラスイオンとマイナスイオンを同時に用いて空気中の細菌類を殺菌・不活化して除去するので、空気中に残存するプラスイオンとマイナスイオンの量は所定量以上であることが好ましく、また、同程度の量であることが好ましい。
【０００９】
さらに、送風機などを用いてイオン発生装置のイオン発生部から発生するプラス及びマイナスのイオンを拡散する際に、単にイオン発生部に送風して、気流に乗せて拡散する方法では、プラス及びマイナスのイオンが衝突して中和してしまい、イオンのまま空気中に均一に分散させることは困難である。また、プラス及びマイナスのイオンを別々に発生して、別々に送風して搬送する方法では、イオン同士が衝突して中和することを防止して、遠くまで搬送させることはできるが、プラス及びマイナスのイオンの分散量が均一とならず、所望の殺菌効果や不活化効果を発揮することはできない。
【００１０】
そのために、プラス及びマイナスのイオンを均一に発生して、室内に送出した単位容積当りの残存量を多くし、その割合も略同じとするイオン拡散装置が望まれている。さらには、イオン発生部のメンテナンスを容易とする構成であることが望まれている。
【００１１】
そこで本発明は、上記問題点に鑑み、イオン発生装置を着脱自在な構成としてメンテナンスを容易とすると共に、プラスイオンとマイナスイオンを均等に発生しながら、室内の遠くまで送出可能なイオン拡散装置およびイオン発生カートリッジを提供することを目的とする。
【課題を解決するための手段】
【００１２】
上記目的を達成するために本発明は、プラズマ放電により発生させたプラスイオン及びマイナスイオンを室内に拡散させるイオン拡散装置において、吸込口から吸い込んだ空気を、装置内に形成された通流路を通って吹出口から室内へ吹き出すための空気流を生成する送風機と、通流方向に交差する方向に離隔するプラスイオン発生部及びマイナスイオン発生部を有し、前記プラスイオン発生部から発生したプラスイオン及び前記マイナスイオン発生部から発生したマイナスイオンを前記通流路を通過する空気に含ませるイオン発生器を備えたイオン発生装置と、を設け、前記通流路の壁面を形成する一面の通流面に合致させて、前記イオン発生器が設けられているイオン発生面を露出する姿勢で、前記イオン発生装置を収容するイオン発生装置収容部を設け、前記イオン発生装置を、前記イオン発生面を前記通流面に合致した形状とするカートリッジ式として、前記吹出口側に設ける差込口から出し入れ可能とし、前記イオン発生装置収容部に、前記イオン発生面を前記通流面に露出した姿勢に着脱自在としたことを特徴としている。
【００１３】
この構成によると、イオン発生面を通流路の通流面に合致させた姿勢に着脱自在とするカートリッジ式のイオン発生装置としたので、イオン発生面から放出されるイオンを通流面に沿った層流に乗せて送出可能でメンテナンスが容易なイオン発生装置となる。また、通流方向に交差する方向にプラスイオン発生部とマイナスイオン発生部を離隔して配設しているので、プラスイオンとマイナスイオンとの衝突を抑制して中和させることなく室内の遠くまで送出可能なイオン拡散装置を得ることができる。
【００１４】
また本発明は上記構成のイオン拡散装置において、前記一面が前記通流路の下部壁面を形成する下部横風向板から形成され、前記イオン発生面を、前記下部横風向板の通流面に合致させた曲面としたことを特徴としている。この構成によると、下部横風向板の通流面に沿って、プラス及びマイナスのイオンを室内の水平方向に送出するイオン拡散装置を得ることができ、人が居住する室内領域に向けてプラス及びマイナスのイオンを放出可能となる。
【００１５】
また本発明は上記構成のイオン拡散装置において、前記イオン発生装置が、挿入ガイド部と位置決めガイド部と、装置本体側の係止部に係止して位置固定するレバー部材を一体に備えると共に、前記下部横風向板に、前記イオン発生面を露出する切欠部を設け、前記挿入ガイド部と位置決めガイド部を介して、前記イオン発生装置を前記差込口から挿入して前記イオン発生装置収容部まで押し込み、前記位置決めガイドと固定ロック部を介して、前記イオン発生面を前記切欠部に露出して前記通流面に合致させた姿勢で固定する構成としたことを特徴としている。この構成によると、下部横風向板の通流面に合致した曲面とされるイオン発生面を、下部横風向板に設ける切欠部に正確に露出させて固定することができる。
【００１６】
また本発明は上記構成のイオン拡散装置において、前記通流路に、プラスイオン発生部及びマイナスイオン発生部のそれぞれのイオン発生部毎の通流路に仕切る縦風向板を設けたことを特徴としている。この構成によると、プラスイオンとマイナスイオンとを別々に搬送可能となるので、プラス及びマイナスの両イオンとの衝突をさらに効果的に抑制することができ、中和させることなく室内の遠くまで送出可能なイオン拡散装置を得ることができる。
【００１７】
また本発明は上記構成のイオン拡散装置において、前記下部横風向板と通流路の上部壁面を形成する上部横風向板との間の通流路を仕切る中間横風向板を設けて、前記送風機から前記吹出口に至る通流路を複数段の層流通路に仕切ると共に、前記下部横風向板の通流面に沿ってプラスイオン発生部及びマイナスイオン発生部を交互に所定ピッチで一列に備える長尺なイオン発生面を形成するように前記イオン発生装置を複数併設し、それぞれのイオン発生装置毎にカートリッジ式のイオン発生カートリッジとして、それぞれのイオン発生カートリッジにそれぞれ挿入ガイド部と位置決めガイド部と固定ロック部とを設け、前記イオン発生装置収容部を、それぞれのイオン発生カートリッジを個別に収容する収容部として、複数のイオン発生カートリッジをそれぞれ個別に、前記差込口から挿脱自在とし、それぞれのイオン発生部毎の通流路に仕切る前記縦風向板を前記複数段の層流通路を貫通するように配設したことを特徴としている。この構成によると、プラスイオン発生部とマイナスイオン発生部を備えるイオン発生装置毎に着脱自在となって、操作が容易となるだけでなくきめの細かいメンテナンスが可能となる。また、電極毎に通流路を設けるので、プラス及びマイナスの両イオンの中和を抑制して室内の遠くまで送出可能となる。
【００１８】
また本発明は上記構成のイオン拡散装置において、前記縦風向板を、前記イオン発生装置を併設した幅方向に対して広角度に吹き出すようにそれぞれの縦風向板に角度を付けたことを特徴としている。この構成によると、それぞれのイオン発生部毎に設ける通流路を広角度に広げるので、室内の所定範囲にイオンを分散することができる。
【００１９】
また本発明は上記構成のイオン拡散装置において、前記イオン発生カートリッジが、外部電極に接続して入出力を行う入出力コネクタ部と、該入出力コネクタ部を介して得られた電力から所定の放電電圧を発生する高電圧発生回路と駆動制御回路を備えてプラスイオン発生部及びマイナスイオン発生部を所定間隔で駆動制御する制御基板と、前記イオン発生部にて発生されるイオンを検出するイオンセンサとを備えていることを特徴としている。この構成によると、入出力コネクタ部を介して外部電源や外部端子との接続が可能で、予め設けられているイオンセンサを介して、正常に作動しているか否かを容易に確認できるカートリッジ式のイオン発生装置となる。
【００２０】
また本発明は上記構成のイオン拡散装置において、前記イオンセンサを、前記イオン発生カートリッジのマイナスイオン発生部の風下側に設置するマイナスイオン検知センサとしたことを特徴としている。この構成によると、イオン拡散装置運転中のマイナスイオン発生部から発生しているマイナスイオンの量を検知して、イオン発生カートリッジが正常に作動しているか、また、どの程度劣化しているかを検知することができる。
【００２１】
また本発明は上記構成のイオン拡散装置において、前記イオン発生器のプラスイオン発生部及びマイナスイオン発生部が備えるプラスイオン発生電極とマイナスイオン発生電極とを、それぞれ二個の発生電極を近接して設けたダブル電極型としたことを特徴としている。この構成によると、イオン発生量を増大することができる。
【００２２】
また本発明は上記構成のイオン拡散装置において、前記イオン発生カートリッジを、ダブル電極型の前記イオン発生器を二列並列すると共に、それぞれのイオン発生器のプラスイオン発生電極とマイナスイオン発生電極を、その正負の極性を逆とした二段イオン発生器型としたことを特徴としている。この構成によると、二段のイオン発生器を同時に駆動して同一の通流路にプラス及びマイナスのイオンを同時に放出することも、二段のイオン発生器を別々に駆動して、同一の通流路にプラス及びマイナスのイオンを交互に放出することも可能となる。
【００２３】
また本発明は上記構成のイオン拡散装置において、前記二段イオン発生器型のそれぞれの列のイオン発生器を交互に作動させることを特徴としている。この構成によると、イオン発生カートリッジの寿命を２倍に延ばすことができる。
【００２４】
また本発明は上記構成のイオン拡散装置において、前記イオン発生カートリッジに軸支部を介して前記レバー部材を回動自在に装着し、該レバー部材に、カートリッジ挿脱時に把持する取っ手部と、挿入した後で本体装置側に設ける係合部に係止して固定するフック部とを設け、前記取っ手部を把持して前記レバー部材を回動操作して、前記フック部を、本体装置側に設ける係合部に係止して位置固定すると共に、前記挿入ガイド部を、前記イオン発生カートリッジの枠体の側部に設けられ、該カートリッジの挿入時に前記イオン発生装置収容部を形成するガイドフレームに当接して摺動するガイド突部とし、前記位置決めガイド部を、前記イオン発生装置収容部を形成する収容部フレームに当接して挿入端位置を規制する当り面と前記フック部を前記係合部に係合させて所定位置に固定する際に前記下部横風向板の裏面フレームに当接して位置決めされるガイド面とから構成したことを特徴としている。この構成によると、取っ手部を把持してイオン発生カートリッジを、その当り面が収容部フレームに当接するまで押し込み、フック部を係止することで、ガイド面が下部横風向板の裏面フレームに当接して固定されるイオン発生カートリッジを、イオン発生装置収容部の正規の位置に装着することができる。
【００２５】
また本発明は上記構成のイオン拡散装置において、前記差込口を閉止・開放する開閉カバーを設け、前記イオン発生カートリッジを所定位置まで挿入して前記フック部を前記係合部に係合させた固定ロック位置に前記レバー部材を回動したときに、前記開閉カバーの閉止を可能とし、前記レバー部材が固定ロック位置まで回動されていない状態では、前記レバー部材が前記開閉カバーの閉止を妨害することを特徴としている。この構成によると、イオン発生カートリッジをイオン発生装置収容部の正規の位置に装着してロックした状態でない場合には、開閉カバーが閉止できないので、イオン発生カートリッジの装着不良を容易に検知することができる。
【００２６】
また本発明は上記構成のイオン拡散装置において、前記送風機を、前記複数のイオン発生装置を配設した列に向けて送風する長さのファン長さを有するクロスフロー送風機とし、複数段の層流通路に仕切られる通流路を、前記クロスフローファンに近い内周側の前記下部横風向板と次の第二横風向板とで仕切られる第一通流路と、第二横風向板と次の第三横風向板とで仕切られる第二通流路と、第三横風向板と第四横風向板とで仕切られる第三通流路と、第四横風向板と前記上部横風向板とで仕切られる第四通流路とを設けると共に、前記第一通流路の風速を最も遅い風速とし、前記第二通流路、前記第三通流路の風速を徐々に高くして、前記第四通流路の風速を最も速くしたことを特徴としている。この構成によると、最も遅い層流通路にイオンを送出し、その上に速い層流通路が順に形成されるので、イオンの拡散を防止する空気の壁を形成して、イオン濃度を維持する所定空間を形成することができる。また、クロスフロー送風機を用いることで、静音性が高く、微風域から運転可能となって、静かな運転が求められる居住空間に好適なイオン拡散装置となる。
【００２７】
また本発明は上記構成のイオン拡散装置において、前記吹出口を装置本体の正面上部に設け、上から順に、第四通流路、第三通流路、第二通流路、第一通流路を配設し、最下段の第一通流路の下側に前記差込口を設けたことを特徴としている。この構成によると、イオンを搬送する第一通流路が一番下にあるので、その上を流れる速い通流路が壁となって、イオンの上部への拡散を防止して、人が存在する下方空間のイオン残存濃度を所定値に維持することが可能となる。
【００２８】
また本発明は上記構成のイオン拡散装置において、装置本体に運転停止操作部を設けると共に、該操作部に、前記クロスフロー送風機の回転速度を設定する運転モード設定部と、新たなイオン発生カートリッジを装着したことを設定するカートリッジ装着時期設定部と、タイマー設定部と、新たなイオン発生カートリッジを装着して運転開始後の所定時間経過後に、カートリッジ交換を推奨する交換推奨表示部と、それぞれのイオン発生カートリッジが発生するイオンが所定量以上か以下かを表示するレベル表示部とを配設したことを特徴としている。この構成によると、その使用時間が予め定められるイオン発生カートリッジであれば、新品のカートリッジ装着時からの経過時間から、交換を推奨する表示を行い、交換時期が近づいてきたことを報知することができる。また、発生しているイオンが所定量以下のときには、その旨を表示するので、メンテナンスが必要であることを知ることができる。
【００２９】
さらに、本発明は、外部電源に接続すると共に信号の入出力を行う入出力コネクタ部と、該入出力コネクタ部を介して得られた電力から所定の放電電圧を発生する高電圧発生回路と駆動制御回路を備えてプラスイオン発生電極とマイナスイオン発生電極を駆動制御する制御基板と、プラスイオン発生電極とマイナスイオン発生電極とをそれぞれ二個近接して設けたダブル電極型のイオン発生部を備えるイオン発生器と、該イオン発生器が発生するイオンを検出するイオンセンサと、を備えたイオン発生カートリッジとしたことを特徴としている。
【００３０】
この構成によると、それぞれがダブル電極型のイオン発生部を備えているので、プラス及びマイナスのイオンを同時に発生するカートリッジ式のイオン発生装置として取り扱い容易となる。また、イオンセンサを備えているので、正常に作動しているか否かを容易に確認できるイオン発生カートリッジを得ることができる。
【００３１】
また本発明は上記構成のイオン発生カートリッジにおいて、前記イオンセンサが、マイナスイオン発生電極から発生するマイナスイオンを検知するマイナスイオン検知センサであることを特徴としている。この構成によると、イオン発生電極部が劣化すると、マイナスイオン発生電極から発生するマイナスイオンの量も減少するので、運転作動中のマイナスイオン発生電極部から発生しているマイナスイオンの量を検知することで、イオン発生カートリッジが正常に作動しているか、また、どの程度劣化しているかを検知することができる。
【００３２】
また本発明は上記構成のイオン発生カートリッジにおいて、カートリッジ挿脱時に把持する取っ手部と、挿入した後で所定位置に固定するフック部とを備えるレバー部材を装着し、カートリッジの枠体の側部に、カートリッジ挿入時にガイド機能を発揮するガイド突部と、当り面と、ガイド面を設けたことを特徴としている。この構成によると、イド機能を発揮するガイド突部と当り面とガイド面と、フック部を備えるレバー部材を介してイオン拡散装置の所定位置に着脱容易となるイオン発生カートリッジを得ることができる。
【００３３】
また本発明は上記構成のイオン発生カートリッジにおいて、前記イオン発生カートリッジが、正負のイオン発生電極が露出しているイオン発生面を上から見て平面視矩形状であって、前記ダブル電極型のイオン発生器を、そのイオン発生電極部の正負の極性を逆として二列並列した二段イオン発生器型とすると共に、前記イオン発生面を通流面に合致した曲面としたことを特徴としている。この構成によると、このイオン発生カートリッジを設置する通流面に矩形状の切欠部を設けることで、この通流面にイオン発生面を合致させて装着することが可能となるイオン発生カートリッジとなる。また、仕切られた通流路にプラス及びマイナスのイオンを同時に、また、交互に送出することも可能となる。
【００３４】
また本発明は上記構成のイオン発生カートリッジにおいて、前記二段イオン発生器型のそれぞれの列のイオン発生器を交互に作動させることを特徴としている。この構成によると、仕切られた通流路にプラス及びマイナスのイオンを交互に送出すると共に、寿命が２倍に延びるイオン発生カートリッジを得ることができる。
【発明の効果】
【００３５】
本発明によれば、送風機から吹出口に至る通流路の通流面に合致させて、通流方向に交差する方向に離隔するプラスイオン発生部及びマイナスイオン発生部が設けられているイオン発生面を露出する姿勢で、イオン発生装置を収容するイオン発生装置収容部を設け、イオン発生装置を、そのイオン発生面を通流路の通流面に合致した形状とするカートリッジ式として、前記吹出口側に設ける差込口から出し入れ可能とし、前記イオン発生装置収容部に、イオン発生面を通流面に露出した姿勢に着脱自在とするイオン拡散装置としたので、カートリッジ式のイオン発生装置を着脱容易であり、通流面に合致したイオン発生面からイオンを送出して、通流方向に交差する方向に離隔してプラス及びマイナスのイオン発生部を設けたので、プラスイオンとマイナスイオンを均等に発生しながら、プラスイオンとマイナスイオンとの衝突を抑制して中和させることなく室内の遠くまで送出可能なイオン拡散装置およびイオン発生カートリッジを得ることができる。
【発明を実施するための最良の形態】
【００３６】
以下に本発明の実施形態を図面を参照して説明する。図１は本発明に係るイオン拡散装置の一実施例を示し、（ａ）は側面断面図であり、（ｂ）は正面図である。図２は本発明に係るイオン発生カートリッジの挿入手順を示す概略説明図であって、（ａ）は挿入開始時の状態を示す側面断面図であり、（ｂ）は、途中の状態を示す側面断面図であり、（ｃ）は挿入完了の状態を示す側面断面図である。図３はイオン発生カートリッジのレバー部材の概略説明図であって、（ａ）は固定ロック部を示す拡大説明図であり、（ｂ）はレバー部材全体の平面図である。図４は本発明に係るイオン発生カートリッジの一例を示し、（ａ）は平面図であり、（ｂ）は側面図である。図５は通流路の概略説明図である。また、同一構成部材については同一の符号を用い、詳細な説明は適宜省略する。
【００３７】
本実施形態に係るイオン拡散装置は、イオン発生装置と送風機を備えて、イオン発生装置で発生したイオンを室内に送出するイオン拡散装置であって、図１（ａ）に示すように、装置本体２に、送風機３と、プラスイオン発生部とマイナスイオン発生部を有するイオン発生器を備えるイオン発生装置１０とを設けている。また、前記イオン発生装置１０が発生するイオンを装置外に送出する吹出口４を装置本体２の前面に設けており、装置本体２の他面側（例えば底面）に吸込口５を設けている。
【００３８】
空気を吸込む吸込口５に、エアーフィルタを装着することも可能であって、この吸込口５から吸入する空気を、送風機３を介してプラズマ放電を行うイオン発生装置１０に送り込んで、空気および水蒸気をイオン化して、吹出口４から送出する構成である。
【００３９】
前記イオン発生装置１０は、それぞれがプラズマ放電を行う正負の電極ペアを備えるイオン発生器を有しており、後述するように、プラスイオン発生電極を備えるプラスイオン発生部とマイナスイオン発生電極を備えるマイナスイオン発生部が所定距離離間して配設されている。
【００４０】
また、送風機３から吹出口４に至る通流路の下部壁面となる下部横風向板２２Ａと、上部壁面となる上部横風向板２２Ｅを設けている。そして、この下部横風向板２２Ａの通流面にイオン発生器が設けられているイオン発生面を合致させて前記イオン発生装置１０を配設するためのイオン発生装置収容部を設けている。また、吹出口側に差込口６を設けて、イオン拡散装置１の装置前面から前記イオン発生装置１０を出し入れ可能としている。この際に、イオン発生装置１０をカートリッジ式として、装置本体内に設けるイオン発生装置収容部に装着する構成とすれば、一体的に着脱自在となり交換容易となり好ましい。そのために、本実施形態においては、イオン発生装置１０を、挿入ガイド部と位置決めガイド部と、本体側のイオン発生装置収容部内に設ける係止部に係止して位置固定するレバー部材１４を一体に備えるカートリッジ式として、前記レバー部材１４を介して前記イオン発生面を前記通流面側に露出した姿勢に着脱自在な構成としている。
【００４１】
イオン発生装置１０をカートリッジ式として、通流路を形成する通流面にイオン発生面を合致させた状態に着脱自在としているので、プラスイオン発生部とマイナスイオン発生部が設けられているイオン発生面は、通流面に合致した形状とすることが好ましい。また、プラス及びマイナスのイオン発生部は、通流方向に交差する方向に離隔して配置したプラスイオン発生部及びマイナスイオン発生部を備えていることが好ましい。この構成であれば、イオン発生面から放出されるイオンを通流面に沿った層流に乗せて送出可能となる。さらに、通流方向と交差する方向にプラス及びマイナスのイオン発生部を配設しているので、プラスイオンとマイナスイオンとの衝突を抑制して中和させることなく室内の遠くまで送出可能となる。
【００４２】
そのために、送風機３から吹出口４に至る通流路が湾曲した形状の場合には、イオン発生装置１０のイオン発生面は、湾曲した下部横風向板２２Ａの通流面に合致した曲面とすることが好ましい。
【００４３】
また、挿入ガイド部と位置決めガイド部と、本体側のイオン発生装置収容部内に設ける係止部に係止して位置固定するレバー部材１４を一体に備えるカートリッジ式とされるイオン発生装置１０を、装置前面に設ける差込口６から挿入して、通流路の外側から前記イオン発生面を通流面に露出した姿勢に装着することで、イオン発生面が通流面に合致して、気流を乱すことなく、イオンを通流路を通流する空気に含ませることができる。
【００４４】
そのために、イオン発生面に設けられているプラス及びマイナスのイオン発生部で発生したプラス及びマイナスのイオンを混乱させることなく、通流路の通流面の層流に沿って送出することが可能となる。また、通流路の下部壁面を形成する下部横風向板２２Ａにイオン発生装置収容部を設けているので、下部壁面に形成される層流を用いて、プラス及びマイナスのイオンを水平方向に安定して送出することができる。
【００４５】
送風機３から吹出口６に至る通流路を上下の層流方向に仕切るために、本実施形態においては、図示するように、下部横風向板２２Ａと上部横風向板２２Ｅとの間に、中間風向板として第二横風向板２２Ｂ、第三横風向板２２Ｃ、第四横風向板２２Ｄを設け、これらの横風向板２２（２２Ａ〜２２Ｅ）を設けることで、送風機３に近い内周側から外周側に向けて複数段の層流通路に仕切るようにしている。
【００４６】
上記の構成の場合は、下部横風向板２２Ａの通流路下側の装置本体内にイオン発生装置収容部を設けることで、吹出口４の下部に設ける差込口６からカートリッジ式のイオン発生装置１０を挿入して、下部横風向板２２Ａの外側からイオン発生面を通流面に露出した姿勢に着脱自在とすることができる。
【００４７】
また、横風向板２２の通流面にイオン発生面を合致させてイオン発生装置１０を配設するには、イオン発生面を横風向板２２の通流面の一部として利用すればよく、横風向板２２と並行にイオン発生装置１０を設置するか、もしくは、横風向板２２の通流面の一部を切り欠いて、イオン発生装置１０を設置することで実現できる。そこで、本実施形態においては、下部横風向板２２Ａにイオン発生面を露出する切欠部２２ａ（図２（ａ）参照）を設けて、この切欠部にイオン発生装置１０のイオン発生面を露出させる構成とした。
【００４８】
イオン発生装置１０は、それぞれがプラズマ放電を行うプラスイオン発生電極とマイナスイオン発生電極との正負の電極ペアを備えた構成とされているので、プラスイオンとマイナスイオンを室内の遠くまで均一に送出可能とするには、発生したプラスイオンとマイナスイオンとが衝突して中和することを防止するために、それぞれ別の通流路で搬送することが好ましい。
【００４９】
また、室内にプラスイオンとマイナスイオンを混在させるには、プラス及びマイナスのイオン発生部を順に交互に並べるように配設すればよく、正負の電極ペアを備えるイオン発生器を、一列に所定ピッチで配設することで、プラスイオン発生部とマイナスイオン発生部を交互に配設することができる。また、プラス及びマイナスのイオン発生部を所定間隔離間して配設することで、発生するプラス及びマイナスのイオンの発生直後の衝突を抑制することができる。
【００５０】
そのために、図１（ｂ）に示すように、イオン拡散装置１を、横に長い装置本体２とし、その内部に、複数のイオン発生装置１０（１０Ａ、１０Ｂ、１０Ｃ、１０Ｄ）を配設する構成とした。また、これらのイオン発生装置が発生するイオンを送出するために、横長の送風機３を用い、横長の吹出口４から送出するようにしている。
【００５１】
横方向に複数のイオン発生装置１０（１０Ａ、１０Ｂ、１０Ｃ、１０Ｄ）を並列する際には、プラスイオン発生部とマイナスイオン発生部を備えるイオン発生装置１０を一列に併設することで、プラスイオン発生部とマイナスイオン発生部を交互に配設することができる。また、プラスイオン発生部とマイナスイオン発生部を交互に配設しているので、それぞれのイオン発生部毎の通流路に仕切る縦風向板２１（２１ａ〜２１ｊ）を設けて、それぞれ別の通流路で送出するようにしている。
【００５２】
また、それぞれの縦風向板に角度をつけて、室内に広角度に吹き出すことができる。例えば、真ん中の縦風向板２１ｄの角度を０とし、外側に行くにつれて徐々に大きな角度とし、両端の縦風向板２１ａ、２１ｊの角度を外側に向けた大きな角度とすることで、広角度に吹出して室内にイオンを拡散することができる。
【００５３】
例えば図５に示すように、イオン発生装置１０Ａ、１０Ｂ、１０Ｃ、１０Ｄのそれぞれのプラス及びマイナスのイオン発生部毎の通流路に仕切る縦風向板２１ａ〜２１ｊを、外側の縦風向板ほど大きく開いて、広角度に吹出す通流路を形成することができる。
【００５４】
上記の構成であれば、それぞれのイオン発生部で発生するイオンを、隣接する異なる極性のイオンと衝突させずに送出可能となるので、室内の遠くまで均一に送出することができる。しかし、プラス及びマイナスのイオンを連続して同一の通流路を介して送出する方法では、プラス及びマイナスのイオンを均一に混在させることは困難であり、通流路が帯電したりして不都合が生じる場合がある。そのために、本実施形態においては、プラスイオン発生電極とマイナスイオン発生電極とを、それぞれ二個の発生電極を近接して設けたダブル電極型とするイオン発生器を二列並列すると共に、それぞれのイオン発生器のイオン発生電極の極性を逆とする二段イオン発生器型のイオン発生カートリッジとした。
【００５５】
例えば、上記のイオン発生カートリッジを装着したイオン拡散装置を１０畳大の居住空間内で作動させた際に、二段のイオン発生器を交互に駆動した場合には、居住空間内の平均イオン個数は、プラスイオンとマイナスイオンのいずれも７，０００個／ｃｍ3以上であることが実験的に確認された。また、二段のイオン発生器を同時に駆動した場合には、プラスイオンとマイナスイオンのいずれも５０，０００個／ｃｍ3以上であることが実験的に確認された。そのために、本実施形態のイオン拡散装置を用いれば、室内に存在するインフルエンザウィルスなどを短時間で死滅させることが可能となる。
【００５６】
従来からプラスイオンＨ+（Ｈ2Ｏ）ｍ（ｍは任意の整数）、マイナスイオンＯ2-（Ｈ2Ｏ）ｎ（ｎは任意の整数）を空気中に送出し、イオンの反応によって浮遊細菌等を殺菌することは知られていた。しかし、前記イオンは各々が再結合して消滅するため、イオン発生素子の極近傍では高濃度が実現できても、送出する距離が遠くなればなるほど急激にその濃度が減少してしまっていた。従って、実験装置のような小容量の空間ではイオン濃度を数万個/ｃｍ3とすることが出来ても、実際の居住空間や作業空間等の大きな空間ではせいぜい２〜３，０００個/ｃｍ3の濃度とするのが限度であった。
【００５７】
一方発明者らは、実験室レベルで前記イオン濃度が７，０００個/ｃｍ3の時には、トリインフルエンザウイルスが１０分間で９９％、５０，０００個/ｃｍ3においては９９.９％除去できることを発見した。双方の除去率が持つ意味は、空気中に１，０００個/ｃｍ3のウイルスが存在したと仮定すると、各々１０個/ｃｍ3および1個/が残留することを示す。つまり、イオン濃度を７，０００個/から５０，０００個/に高めることによって、残留するウイルスが１/１０になるのである。このことから、人などが生活する居住空間や作業空間において、高濃度のイオンを送出するだけではなく、空間全体にイオン濃度を高濃度にすることが感染症予防や環境浄化において非常に重要なことであることがわかる。
【００５８】
次に、上記のような構成としたイオン発生カートリッジについて図４を用いて説明する。このイオン発生カートリッジは、イオン発生装置１０をカートリッジ式にしたものであって同一構成部材であるので、同一の符合を用いてイオン発生カートリッジ１０として説明する。図４に示すイオン発生カートリッジ１０は、ダブル電極型のプラスイオン発生部１３Ａとマイナスイオン発生部１３Ｂとを備えるイオン発生器１２Ａと、ダブル電極型のマイナスイオン発生部１３Ｂとプラスイオン発生部１３Ａとを備えるイオン発生器１２Ｂとを二列並列して設けた二段イオン発生器型である。
【００５９】
正負それぞれのイオン発生電極は、それぞれ針状の放電電極ＨＤを備えていて、その周囲の板状の誘導電極との間でプラズマ放電を行いイオンを発生する。また、それぞれの放電電極ＨＤをダブル電極型とすると、プラスイオン発生部１３Ａはプラスイオン発生電極１３Ａａと１３Ａｂの二個の電極を備え、マイナスイオン発生部１３Ｂはマイナスイオン発生電極１３Ｂａと１３Ｂｂの二個の電極を備えるので、それぞれ放電量が２倍となって、所定量以上のイオンを安定して発生することができる。
【００６０】
前記二段イオン発生器型のそれぞれのイオン発生器１２Ａ、１２Ｂを交互に作動させる構成とし、通流路を縦風向板２１で仕切る構成とすれば、空気流Ｆ１により送出されるイオンは、イオン発生器１２Ａが作動している間はプラスイオンを送出し、イオン発生器１２Ｂが作動している間はマイナスイオンを送出する構成となる。
【００６１】
そのために、イオン発生器１２Ａとイオン発生器１２Ｂとの作動周期を所定間隔とすることで、同一空気流内にプラス及びマイナスのイオンを所定間隔で断続的に放出して、プラス及びマイナスの両イオンを所定密度で混在させることができる。
【００６２】
また、空気流Ｆ２により送出されるイオンは、イオン発生器１２Ａが作動してマイナスイオンを送出し、イオン発生器１２Ｂが作動してプラスイオンを送出する構成となる。このように、空気流Ｆ１と空気流Ｆ２とでは、その極性を逆とするイオンが断続的に送出されており、時間平均で見ると、それぞれの通流路に、プラスイオンとマイナスイオンを均等に放出することができる。
【００６３】
また、一つのイオン発生カートリッジ１０が、二つのイオン発生器１２Ａ、１２Ｂを交互に作動しているので、イオン発生カートリッジ１０としての寿命が２倍となり、長期間に亘って使用可能となる。
【００６４】
それぞれのイオン発生部毎に通流路を仕切る縦風向板２１の配設位置は、上記の空気流Ｆ１と空気流Ｆ２とに仕切ることができる位置であればよく、平行な空気流を生成する送風機であれば、イオン発生カートリッジ１０の前端部近辺から設置することもできる。
【００６５】
前記イオン発生カートリッジ１０は、その枠体１１の形状が、プラスイオン発生部１３Ａとマイナスイオン発生部１３Ｂが露出しているイオン発生面を上から見て平面視矩形状であって、側面視では、図４（ｂ）に示すようにイオン発生面１１ａを通流面に合致した曲面としている。
【００６６】
また、枠体１１に、外部電源に接続すると共に信号の入出力を行う入出力コネクタ部１９と、該入出力コネクタ部を介して得られた電力から所定の放電電圧を発生する高電圧発生回路と駆動制御回路を備えてプラスイオン発生電極とマイナスイオン発生電極を所定間隔で駆動制御する制御基板と、プラスイオン発生電極とマイナスイオン発生電極とをそれぞれ二個近接して設けたダブル電極型のイオン発生器１２Ａ、１２Ｂと、該イオン発生器が発生するイオンを検出するイオンセンサ１８とを備えている。
【００６７】
また、カートリッジ挿脱時に把持する取っ手部と、挿入した後で所定位置に固定するフック部とを備えるレバー部材１４を装着し、カートリッジの枠体１１の側部に、カートリッジ挿入時にガイド機能を発揮するガイド突部１５と、当り面１７と、ガイド面１６を設けている。レバー部材１４は、枠体１１の裏面１１ｂの枠フレーム１１ｃに軸支部１４ｄを介して回動自在に装着されている。
【００６８】
前記イオンセンサ１８は、イオン発生器１２Ａのマイナスイオン発生部１３Ｂの下流側に近接して設けられていて、マイナスイオン発生部１３Ｂから発生するマイナスイオンを検知するマイナスイオン検知センサである。例えば、イオンを捕捉する電極部に捕捉されたマイナスイオン濃度に応じて出力されるイオン電流を電圧に変換して検知することができるが、特にこのタイプに限定されるものではなく、所定量以上のマイナスイオンが発生していることを検知する機能を備えるイオンセンサを用いることができる。
【００６９】
イオン発生器１２Ａは、プラスイオン発生部１３Ａが常時プラスイオンを発生し、マイナスイオン発生部１３Ｂが常時マイナスイオンを発生している。また、所定の正負の放電電圧をそれぞれの針状放電電極に同時に印加しているので、発生するプラス及びマイナスのイオンは略同量であって、イオン拡散装置の作動中における一方のイオン量を計測することで、イオン発生器１２Ａが正常に作動していることが確認できる。また、イオン発生器１２Ａとイオン発生器１２Ｂを一体に備えるイオン発生カートリッジ１０が正常であるか否かを推定することができる。つまり、マイナスイオン発生部１３Ｂから発生するマイナスイオンを検知することで、イオン発生カートリッジ１０の劣化程度を推定し、メンテナンスを行うことが可能となる。
【００７０】
イオン発生カートリッジ１０の枠体１１の側部に設けられているガイド突部１５は、該カートリッジの挿入時に前記イオン発生装置収容部を形成するガイドフレーム２４ｂ（図３（ａ）参照）に当接して摺動する挿入ガイド部であって、枠体１１の側部両側のガイド突部１５を、それぞれ両側のガイドフレームに当接させながら、イオン発生カートリッジ１０を押し込んでいく。
【００７１】
当り面１７は、イオン発生カートリッジ１０をイオン発生装置収容部に装着する際に、枠体１１の先端面となる部分であって、イオン発生装置収容部を形成する収容部フレーム２５に当接して位置決めされる面である。
【００７２】
ガイド面１６は、レバー部材１４のフック部１４ｃを係合部２４ａ（図３（ａ）参照）に係合させて所定位置に固定する際に、下部横風向板２２Ａの裏面フレーム２３に当接して位置決めされる面である。このように、挿入端位置を規定する当り面１７と固定位置を規定するガイド面１６とが位置決めガイド部となる。
【００７３】
上記したように、イオン発生カートリッジ１０を収容するイオン発生装置収容部は、差込口６の内部に形成され、カートリッジの挿入端を規制する収容部フレーム２５と、カートリッジの側部を規制するガイドフレーム２４ｂと、カートリッジのイオン発生面を露出する切欠部２２ａと、カートリッジの固定位置を規制する裏面フレーム２３と、係合部２４ａを設ける構成とされていて、イオン発生カートリッジ１０の設置個数に応じたそれぞれのイオン発生装置収容部が配設されている。
【００７４】
レバー部材１４は、図３（ａ）に示すように、イオン発生カートリッジ１０に軸支部１４ｄを介して回動自在に装着されていて、アーム１４ｂとカートリッジ挿脱時に把持する取っ手部１４ａと、挿入した後で本体装置側に設ける係合部に係止して固定するフック部１４ｃとを設けている。そのために、取っ手部１４ａを把持して図中の矢印Ｄ１方向に回動操作して、前記フック部１４ｃを、本体装置側に設ける係合部２４ａに係止して位置固定することができる。
【００７５】
取っ手部１４ａは、軸支部１４ｄが形成されるアーム１４ｂから、操作容易となる所定角度屈曲して延設されている。また、フック部１４ｃは、回動するレバー部材１４のいずれにかに設ければよく、前記アーム１４ｂにでも、取っ手部１４ａにでも設けることができる。本実施形態においては、図３（ｂ）に示すように、取っ手部１４ａを前記アーム１４ｂから凸状に突出させて、この取っ手部１４ａの両側のアーム１４ｂの先端部に相当する部分に、本体装置側のフレーム２４に形成する係合部２４ａに係止する円弧状のフック部１４ｃを設ける構成とした。
【００７６】
そのために、フック部１４ｃがレバー部材１４の中間部に形成される構成となって、レバー部材１４の先端側に設けられる取っ手部１４ａを把持してレバー部材１４を回動操作して、係合部２４ａに係止して位置固定する操作と、前記フック部１４ｃを係合部２４ａから離脱して開放する操作とを、フック部１４ｃと係合部２４ａとの嵌め合い抵抗力よりも小さな力で行うことができ、操作容易となる。
【００７７】
上記したように、カートリッジ挿脱時に把持する取っ手部１４ａと、挿入した後で所定位置に固定するフック部１４ｃとを備えるレバー部材１４を装着し、カートリッジの枠体の側部に、カートリッジ挿入時にガイド機能を発揮するガイド突部１５と、当り面１７と、ガイド面１６を設けた構成のイオン発生カートリッジとすることで、着脱容易なカートリッジ式のイオン発生装置を得ることができる。
【００７８】
次に、上記のような構成のレバー部材１４を備えたイオン発生カートリッジ１０を、イオン拡散装置１に装着する構成について図２を用いて説明する。
【００７９】
図２（ａ）に示すように、開閉カバー７を開いて差込口６を開放し、この開放された差込口６からイオン発生カートリッジ１０を挿入する。このとき、当り面１７が収容部フレーム２５に当接するまで、レバー部材１４を把持して押し込むようにして挿入する。また、この挿入操作時に、ガイド突部１５がガイドフレーム２４ｂ上を摺動する構成としている。
【００８０】
当り面１７が収容部フレーム２５に当接するまでイオン発生カートリッジ１０を押し込んだ後、図２（ｂ）に示すように、レバー部材１４のフック部１４ｃを本体装置側の係合部２４ａに係止させるようにレバー部材１４を押し下げる。
【００８１】
レバー部材１４を押し下げて、フック部１４ｃを本体装置側の係合部２４ａに係止させる操作で、イオン発生カートリッジ１０を下部横風向板２２Ａに設ける切欠部２２ａに嵌め込むことができる。また、イオン発生カートリッジ１０の枠体の側面に設けるガイド面１６が、下部横風向板２２Ａの裏面フレーム２３に当接して、その嵌め込み姿勢が規定されるようにしている。
【００８２】
レバー部材１４のフック部１４ｃを本体装置側の係合部２４ａに係止させると、図２（ｃ）に示すように、イオン発生カートリッジ１０のイオン発生面を前記切欠部２２ａに露出した姿勢で固定する。この姿勢は、イオン発生面を通流面に合致させて露出した姿勢であって、イオン発生面で発生するイオンを送風気流に確実に放出することができる。
【００８３】
また、レバー部材１４のフック部１４ｃを本体装置側の係合部２４ａに係止させた状態では、開いた開閉カバー７を閉止可能としているが、図２（ａ）や図２（ｂ）のように、フック部１４ｃが固定されていない状態では、閉止しようとする開閉カバー７が、レバー部材１４の取っ手部１４ａに干渉する構成としている。この構成であれば、正規の位置にないレバー部材１４を用いて、開閉カバー７の閉止を妨害することができる。
【００８４】
上記したように、レバー部材１４が開閉カバー７の閉止を妨害する構成とすることで、イオン発生カートリッジ１０が正しく装着されているかどうかの確認を容易に行うことが可能となり好適である。
【００８５】
また、イオン発生カートリッジ１０を所定位置に固定した後で、入出力コネクタ部１９を本体装置内に設けられている接続端子に接続して、イオン発生カートリッジ１０の装着作業が完了する。
【００８６】
本実施形態に係るイオン拡散装置１は、複数のイオン発生カートリッジ１０（１０Ａ、１０Ｂ、１０Ｃ、１０Ｄ）を備えた横長な構成とされているので、使用する送風機３は、前記複数のイオン発生カートリッジを配設した列に向けて送風する長さのファン長さを有するクロスフロー送風機が好ましい。クロスフロー送風機であれば、静音性が高く、微風域から運転可能であって、静かな運転が求められる居住空間内に設置するイオン拡散装置１に使用する送風機として好適である。
【００８７】
また、図１（ａ）に示すように、複数の層流通路に仕切られる通流路を、クロスフローファンに近い内周側の下部横風向板２２Ａと次の第二横風向板２２Ｂとで仕切られる第一通流路４Ａと、第二横風向板２２Ｂと次の第三横風向板２２Ｃとで仕切られる第二通流路４Ｂと、第三横風向板２２Ｃと第四横風向板２２Ｄとで仕切られる第三通流路４Ｃと、第四横風向板２２Ｄと上部横風向板２２Ｅとで仕切られる第四通流路４Ｄとに分流しているので、それぞれの通流路の流速を加減して、イオンを遠くまで運ぶことができる。
【００８８】
例えば、内周側の第一通流路４Ａの風速Ｋ１をもっとも遅い風速とし、第二通流路の風速Ｋ２、第三通流路の風速Ｋ３を徐々に高くして、外周側の第四通流路の風速Ｋ４を最も速くすることができる。この構成であれば、イオン発生装置（イオン発生カートリッジ）１０が発生するイオンを、最も遅い第一通流路４Ａが搬送することになるので、その上を流れるより速い空気流が壁となり、イオンの上方への拡散を防止することができる。また、上部の速い風速の空気流によるコアンダ効果を用いて遠くまで搬送され、下方の所定空間内に高濃度のイオン滞在領域を形成することが可能となる。
【００８９】
つまり、複数の層流通路に仕切られる通流路の、最も遅い風速の通流路に、イオンを送出することで、送風する室内の所定領域のイオン濃度を高濃度に維持することが可能となり、人が生活する居住空間を効果的に除菌・殺菌することが可能となる。また、それぞれの通流路の風速は、上部、下部の横風向板と中間横風向板のそれぞれの横風向板間の隙間を加減することや、クロスフロー送風機の回転数を加減することで変化させることができる。
【００９０】
クロスフロー送風機を運転してイオン拡散装置１を駆動するための運転停止操作部８（図１（ｂ）参照）を装置本体の前面側に設けている。この運転停止操作部８には、オン・オフスイッチに加えて、例えば、前記クロスフロー送風機の回転速度を設定する運転モード設定部と、新たなイオン発生カートリッジを装着したことを設定するカートリッジ装着時期設定部と、タイマー設定部と、新たなイオン発生カートリッジを装着して運転開始後の所定時間経過後に、カートリッジ交換を推奨する交換推奨表示部と、それぞれのイオン発生カートリッジが発生するイオンが所定量以上か以下かを表示するレベル表示部とを配設することができる。
【００９１】
そのために、その使用時間が予め定められるイオン発生カートリッジであれば、新品のカートリッジ装着時に新たなイオン発生カートリッジを装着したことを設定することで、その後の装置使用による経過時間から、交換を推奨する表示を行い、交換時期が近づいてきたことを報知することができる。また、装置使用中に発生しているイオンが所定量以下のときには、その旨を表示するので、イオン発生部のメンテナンスが必要であることを知ることができる。
【００９２】
上記したように、本発明によれば、イオン発生装置を、そのイオン発生面を風向板の通流面に合致した曲面とし、挿入ガイド部と位置決めガイド部と、装置本体側の係止部に係止して位置固定するレバー部材を一体に備えるカートリッジ式として、装置前面に設ける吹出口側に設ける差込口から出し入れ可能としたので、装置前面側から着脱容易なイオン発生カートリッジを得ることができる。また、イオンを送出する通流路に、プラス及びマイナスそれぞれのイオン発生部毎の通流路に仕切る縦風向板を設けた構成のイオン拡散装置としたので、プラスイオンとマイナスイオンを均等に発生しながら、室内の遠くまで均一に送出可能なイオン拡散装置を得ることができる。
【００９３】
また、それぞれ二個のイオン発生電極を近接して設けたダブル電極型のプラスイオン発生部とマイナスイオン発生部とを備えるイオン発生器と、イオンセンサを備えるイオン発生カートリッジとしたので、プラス及びマイナスのイオンを大量に発生するカートリッジ式のイオン発生装置として取り扱い容易となり、正常に作動しているか否かを容易に確認できる。そのために、容易に交換可能なイオン発生カートリッジを得ることができる。
【００９４】
さらに、ダブル電極型のイオン発生部を備えるイオン発生器を、そのイオン発生部のイオン発生電極の極性を逆として二列並列した二段イオン発生器型のイオン発生カートリッジとしたので、同一空気流内にプラス及びマイナスのイオンを同時に、また、放出所定間隔で断続的に放出して、プラス及びマイナスの両イオンを所定密度で混在させることができる。
【００９５】
また、送風機から吹出口に至る通流路を複数段の層流通路に仕切り、イオンを送出する層流通路を最も遅い最下段の通流路とし、その上に速い層流通路を順に形成する構成としたので、イオンの拡散を防止する空気の壁を形成して、イオン濃度を維持する所定空間を形成することができる。さらに、送風機としてクロスフロー送風機を用いることで、静音性が高く、微風域から運転可能となって、静かな運転が求められる居住空間に好適なイオン拡散装置を得ることができる。
【００９６】
なお、本実施形態のイオン拡散装置の設置される対象は居室内には限定されず、不特定の人がある程度の時間滞在する室内（例えば、駅や病院の待合室、広間、教室等）でもよい。また、換気率が一定以下であれば窓の開放や換気装置により換気された室内でもよい。また、空調装置により空調された室内でもよい。さらに、本実施形態のイオン拡散装置を複数個、間隔を置いて配置することで、仕切られていない空間（例えばホテル、空港等のロビー）の広範な領域で十分なイオン濃度を確保できる。
【産業上の利用可能性】
【００９７】
本発明に係るイオン拡散装置およびイオン発生カートリッジは、居住空間のプラス及びマイナスのイオン残存量を高濃度に維持可能なイオン拡散装置となり、メンテナンス容易なイオン発生カートリッジとなるので、病気感染を防止したい人の居住空間を確保するためのイオン拡散装置に好適に利用可能となる。
【図面の簡単な説明】
【００９８】
【図１】本発明に係るイオン拡散装置の一実施例を示し、（ａ）は側面断面図であり、（ｂ）は正面図である。
【図２】本発明に係るイオン発生カートリッジの挿入手順を示す概略説明図であって、（ａ）は挿入開始時の状態を示す側面断面図であり、（ｂ）は、途中の状態を示す側面断面図であり、（ｃ）は挿入完了の状態を示す側面断面図である。
【図３】イオン発生カートリッジのレバー部材の概略説明図であって、（ａ）は固定ロック部を示す拡大説明図であり、（ｂ）はレバー部材全体の平面図である。
【図４】本発明に係るイオン発生カートリッジの一例を示し、（ａ）は平面図であり、（ｂ）は側面図である。
【図５】通流路の概略説明図である。
【符号の説明】
【００９９】
１    イオン拡散装置
２    装置本体
３    送風機
４    吹出口
５    吸込口
６    差込口
７    開閉カバー
８    運転停止操作部
１０    イオン発生装置（イオン発生カートリッジ）
１１ａ  イオン発生面
１２    イオン発生器
１３Ａ  プラスイオン発生部
１３Ａａ、１３Ａｂ  プラスイオン発生電極
１３Ｂ  マイナスイオン発生部
１３Ｂａ、１３Ｂｂ  マイナスイオン発生電極
１４    レバー部材
１４ａ  取っ手部
１４ｃ  フック部
１５    ガイド突部
１６    ガイド面
１７    当り面
１８    イオンセンサ
１９    入出力コネクタ部
２１    縦風向板
２２    横風向板
２２Ａ  下部横風向板
２２Ｅ  上部横風向板
【図１】
2010055946.tif 000003
【図２】
2010055946.tif 000004
【図３】
2010055946.tif 000005
【図４】
2010055946.tif 000006
【図５】
2010055946.tif 000007
【手続補正書】
【提出日】平成21年7月8日(2009.7.8)
【手続補正１】
【補正対象書類名】特許請求の範囲
【補正対象項目名】全文
【補正方法】変更
【補正の内容】
【特許請求の範囲】
【請求項１】
プラズマ放電により発生させたプラスイオン及びマイナスイオンを室内に拡散させるイオン拡散装置において、
吸込口から吸い込んだ空気を、装置内に形成された通流路を通って吹出口から室内へ吹き出すための空気流を生成する送風機と、
プラスイオン発生部及びマイナスイオン発生部を有し、前記プラスイオン発生部から発生したプラスイオン及び前記マイナスイオン発生部から発生したマイナスイオンを前記通流路を通過する空気に含ませるイオン発生装置と、を設け、
前記通流路の壁面を形成する一面の通流面に合致させて、前記イオン発生装置のイオン発生面を露出する姿勢で、前記イオン発生装置を収容するイオン発生装置収容部を設け、
前記イオン発生装置を、前記吹出口側に設ける差込口から出し入れ可能とし、前記イオン発生装置収容部に着脱自在としたことを特徴とするイオン拡散装置。
【請求項２】
前記一面が前記通流路の下部壁面を形成する下部横風向板から形成されたことを特徴とする請求項１に記載のイオン拡散装置。
【請求項３】
前記イオン発生装置を、プラスイオン発生部及びマイナスイオン発生部を有するイオン発生器と、前記イオン発生器を収納すると共に挿入ガイド部と位置決めガイド部と、装置本体側の係止部に係止して位置固定するレバー部材を一体に備えるイオン発生カートリッジとし、
前記挿入ガイド部と位置決めガイド部を介して、前記イオン発生装置を前記差込口から挿入して前記イオン発生装置収容部まで押し込み、前記位置決めガイドと前記レバー部材を介して、前記イオン発生面を前記通流面に合致させた姿勢で固定する構成としたことを特徴とする請求項１または２に記載のイオン拡散装置。
【請求項４】
前記イオン発生装置は、空気の通流方向に交差する方向にプラスイオン発生部及びマイナスイオン発生部を隔離するイオン発生器を含み、前記通流路に、プラスイオン発生部及びマイナスイオン発生部のそれぞれのイオン発生部毎の通流路に仕切る縦風向板を設けたことを特徴とする請求項１から３のいずれかに記載のイオン拡散装置。
【請求項５】
前記下部横風向板と通流路の上部壁面を形成する上部横風向板との間の通流路を仕切る中間横風向板を設けて、前記送風機から前記吹出口に至る通流路を複数段の層流通路に仕切ると共に、
前記下部横風向板の通流面に沿ってプラスイオン発生部及びマイナスイオン発生部を交互に所定ピッチで一列に備える長尺なイオン発生面を形成するように前記イオン発生装置を複数併設し、
それぞれのイオン発生部毎の通流路に仕切る前記縦風向板を前記複数段の層流通路を貫通するように配設したことを特徴とする請求項４に記載のイオン拡散装置。
【請求項６】
前記縦風向板を、前記イオン発生装置を併設した幅方向に対して広角度に吹き出すようにそれぞれの縦風向板に角度を付けたことを特徴とする請求項５に記載のイオン拡散装置。
【請求項７】
前記イオン発生カートリッジが、外部電極に接続して入出力を行う入出力コネクタ部と、該入出力コネクタ部を介して得られた電力によりプラスイオン発生部及びマイナスイオン発生部を所定間隔で駆動制御する制御基板と、前記イオン発生部にて発生されるイオンを検出するイオンセンサとを備えていることを特徴とする請求項３から６のいずれかに記載のイオン拡散装置。
【請求項８】
前記イオンセンサを、前記イオン発生カートリッジのマイナスイオン発生部の風下側に設置するマイナスイオン検知センサとしたことを特徴とする請求項７に記載のイオン拡散装置。
【請求項９】
前記イオン発生器のプラスイオン発生部が備えるプラスイオン発生電極及びマイナスイオン発生部が備えるマイナスイオン発生電極とを、それぞれ二個の発生電極を近接して設けたダブル電極型としたことを特徴とする請求項３から８のいずれかに記載のイオン拡散装置。
【請求項１０】
前記イオン発生カートリッジを、前記イオン発生器を二段に並列すると共に、それぞれのイオン発生器のプラスイオン発生電極とマイナスイオン発生電極を、その正負の極性を逆とした二段イオン発生器型としたことを特徴とする請求項３から９のいずれかに記載のイオン拡散装置。
【請求項１１】
前記二段イオン発生器型イオン発生カートリッジのそれぞれの段のイオン発生器を交互に作動させることを特徴とする請求項１０に記載のイオン拡散装置。
【請求項１２】
前記差込口を閉止・開放する開閉カバーを設け、前記イオン発生カートリッジを所定位置まで挿入して、前記レバー部材が有するフック部を本体側の係止部に係止させる固定ロック位置に前記レバー部材を回動したときに、前記開閉カバーの閉止を可能とし、前記レバー部材が固定ロック位置まで回動されていない状態では、前記レバー部材が前記開閉カバーの閉止を妨害することを特徴とする請求項３から１１のいずれかに記載のイオン拡散装置。
【請求項１３】
装置本体に運転停止操作部を設けると共に、該操作部に、前記送風機の回転速度を設定する運転モード設定部と、新たなイオン発生カートリッジを装着したことを設定するカートリッジ装着時期設定部と、タイマー設定部と、新たなイオン発生カートリッジを装着して運転開始後の所定時間経過後に、カートリッジ交換を推奨する交換推奨表示部と、それぞれのイオン発生カートリッジが発生するイオンが所定量以上か以下かを表示するレベル表示部とを配設したことを特徴とする請求項３から１２のいずれかに記載のイオン拡散装置。
【請求項１４】
外部電源に接続すると共に信号の入出力を行う入出力コネクタ部と、プラスイオン発生電極とマイナスイオン発生電極とをそれぞれ設けたイオン発生器と、該イオン発生器が発生するイオンを検出するイオンセンサと、前記入出力コネクタ部を介して得られた電力によりイオン発生器を駆動制御する制御基板と、を備えたことを特徴とするイオン発生カートリッジ。
【請求項１５】
前記イオンセンサが、マイナスイオン発生電極から発生するマイナスイオンを検知するマイナスイオン検知センサであることを特徴とする請求項１４に記載のイオン発生カートリッジ。
【請求項１６】
カートリッジ挿脱時に把持する取っ手部と、挿入した後で所定位置に固定するフック部とを備えるレバー部材を装着し、カートリッジの枠体の側部に、カートリッジ挿入時にガイド機能を発揮するガイド突部と、当り面と、ガイド面を設けたことを特徴とする請求項１４または１５に記載のイオン発生カートリッジ。
【請求項１７】
前記イオン発生カートリッジが、正負のイオン発生電極が露出しているイオン発生面を上から見て平面視矩形状であって、前記イオン発生器を、そのイオン発生電極部の正負の極性を逆として二段に並列した二段イオン発生器型とすると共に、前記イオン発生面を前記イオン発生カートリッジが装着される通流面に合致した曲面としたことを特徴とする請求項１４から１６のいずれかに記載のイオン発生カートリッジ。
【請求項１８】
前記二段イオン発生器型イオン発生カートリッジのそれぞれの段のイオン発生器を交互に作動させることを特徴とする請求項１７に記載のイオン発生カートリッジ。
【手続補正２】
【補正対象書類名】明細書
【補正対象項目名】００１２
【補正方法】変更
【補正の内容】
【００１２】
上記目的を達成するため本発明は、プラズマ放電により発生させたプラスイオン及びマイナスイオンを室内に拡散させるイオン拡散装置において、吸込口から吸い込んだ空気を、装置内に形成された通流路を通って吹出口から室内へ吹き出すための空気流を生成する送風機と、プラスイオン発生部及びマイナスイオン発生部を有し、前記プラスイオン発生部から発生したプラスイオン及び前記マイナスイオン発生部から発生したマイナスイオンを前記通流路を通過する空気に含ませるイオン発生装置と、を設け、前記通流路の壁面を形成する一面の通流面に合致させて、前記イオン発生装置のイオン発生面を露出する姿勢で、前記イオン発生装置を収容するイオン発生装置収容部を設け、前記イオン発生装置を、前記吹出口側に設ける差込口から出し入れ可能とし、前記イオン発生装置収容部に着脱自在としたことを特徴としている。
【手続補正３】
【補正対象書類名】明細書
【補正対象項目名】００１３
【補正方法】変更
【補正の内容】
【００１３】
この構成によると、イオン発生面を通流路の通流面に合致させた姿勢に露出し、イオン発生装置収容部に着脱自在としたイオン発生装置を設けているので、メンテナンスが容易であると共に、イオン発生面から放出されるイオンを通流面に沿った層流に乗せて放出可能となって、プラスイオンとマイナスイオンとの衝突を抑制して中和させることなく室内の遠くまで送出可能なイオン拡散装置を得ることができる。
【手続補正４】
【補正対象書類名】明細書
【補正対象項目名】００１４
【補正方法】変更
【補正の内容】
【００１４】
また本発明は上記構成のイオン拡散装置において、前記一面が前記通流路の下部壁面を形成する下部横風向板から形成されたことを特徴としている。この構成によると、下部横風向板の通流面に沿って、プラス及びマイナスのイオンを室内の水平方向に送出するイオン拡散装置を得ることができ、人が居住する室内領域に向けてプラス及びマイナスのイオンを放出可能となる。
【手続補正５】
【補正対象書類名】明細書
【補正対象項目名】００１５
【補正方法】変更
【補正の内容】
【００１５】
また本発明は上記構成のイオン拡散装置において、前記イオン発生装置を、プラスイオン発生部及びマイナスイオン発生部を有するイオン発生器と、前記イオン発生器を収納すると共に挿入ガイド部と位置決めガイド部と、装置本体側の係止部に係止して位置固定するレバー部材を一体に備えるイオン発生カートリッジとし、前記挿入ガイド部と位置決めガイド部を介して、前記イオン発生装置を前記差込口から挿入して前記イオン発生装置収容部まで押し込み、前記位置決めガイドと前記レバー部材を介して、前記イオン発生面を前記通流面に合致させた姿勢で固定する構成としたことを特徴としている。この構成によると、挿入ガイド部と位置決めガイド部とレバー部材を一体に備えるカートリッジ式のイオン発生装置としたので、メンテナンスが容易なイオン発生装置となる。また、下部横風向板の通流面に合致した曲面とされるイオン発生面を、下部横風向板に設ける切欠部に正確に露出させて固定することができる。
【手続補正６】
【補正対象書類名】明細書
【補正対象項目名】００１６
【補正方法】変更
【補正の内容】
【００１６】
また本発明は上記構成のイオン拡散装置において、前記イオン発生装置は、空気の通流方向に交差する方向にプラスイオン発生部及びマイナスイオン発生部を隔離するイオン発生器を含み、前記通流路に、プラスイオン発生部及びマイナスイオン発生部のそれぞれのイオン発生部毎の通流路に仕切る縦風向板を設けたことを特徴としている。この構成によると、プラスイオンとマイナスイオンとを別々に搬送可能となるので、プラス及びマイナスの両イオンとの衝突をさらに効果的に抑制することができ、中和させることなく室内の遠くまで送出可能なイオン拡散装置を得ることができる。
【手続補正７】
【補正対象書類名】明細書
【補正対象項目名】００１７
【補正方法】変更
【補正の内容】
【００１７】
また本発明は上記構成のイオン拡散装置において、前記下部横風向板と通流路の上部壁面を形成する上部横風向板との間の通流路を仕切る中間横風向板を設けて、前記送風機から前記吹出口に至る通流路を複数段の層流通路に仕切ると共に、前記下部横風向板の通流面に沿ってプラスイオン発生部及びマイナスイオン発生部を交互に所定ピッチで一列に備える長尺なイオン発生面を形成するように前記イオン発生装置を複数併設し、それぞれのイオン発生部毎の通流路に仕切る前記縦風向板を前記複数段の層流通路を貫通するように配設したことを特徴としている。この構成によると、プラスイオン発生部とマイナスイオン発生部を備えるイオン発生装置毎に着脱自在となって、操作が容易となるだけでなくきめの細かいメンテナンスが可能となる。また、電極毎に通流路を設けるので、プラス及びマイナスの両イオンの中和を抑制して室内の遠くまで送出可能となる。
【手続補正８】
【補正対象書類名】明細書
【補正対象項目名】００１９
【補正方法】変更
【補正の内容】
【００１９】
また本発明は上記構成のイオン拡散装置において、前記イオン発生カートリッジが、外部電極に接続して入出力を行う入出力コネクタ部と、該入出力コネクタ部を介して得られた電力によりプラスイオン発生部及びマイナスイオン発生部を所定間隔で駆動制御する制御基板と、前記イオン発生部にて発生されるイオンを検出するイオンセンサとを備えていることを特徴としている。この構成によると、入出力コネクタ部を介して外部電源や外部端子との接続が可能で、予め設けられているイオンセンサを介して、正常に作動しているか否かを容易に確認できるカートリッジ式のイオン発生装置となる。
【手続補正９】
【補正対象書類名】明細書
【補正対象項目名】００２１
【補正方法】変更
【補正の内容】
【００２１】
また本発明は上記構成のイオン拡散装置において、前記イオン発生器のプラスイオン発生部が備えるプラスイオン発生電極及びマイナスイオン発生部が備えるマイナスイオン発生電極とを、それぞれ二個の発生電極を近接して設けたダブル電極型としたことを特徴としている。この構成によると、イオン発生量を増大することができる。
【手続補正１０】
【補正対象書類名】明細書
【補正対象項目名】００２２
【補正方法】変更
【補正の内容】
【００２２】
また本発明は上記構成のイオン拡散装置において、前記イオン発生カートリッジを、前記イオン発生器を二段に並列すると共に、それぞれのイオン発生器のプラスイオン発生電極とマイナスイオン発生電極を、その正負の極性を逆とした二段イオン発生器型としたことを特徴としている。この構成によると、二段のイオン発生器を同時に駆動して同一の通流路にプラス及びマイナスのイオンを同時に放出することも、二段のイオン発生器を別々に駆動して、同一の通流路にプラス及びマイナスのイオンを交互に放出することも可能となる。
【手続補正１１】
【補正対象書類名】明細書
【補正対象項目名】００２３
【補正方法】変更
【補正の内容】
【００２３】
また本発明は上記構成のイオン拡散装置において、前記二段イオン発生器型イオン発生カートリッジのそれぞれの段のイオン発生器を交互に作動させることを特徴としている。この構成によると、イオン発生カートリッジの寿命を２倍に延ばすことができる。
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】変更
【補正の内容】
【００２５】
また本発明は上記構成のイオン拡散装置において、前記差込口を閉止・開放する開閉カバーを設け、前記イオン発生カートリッジを所定位置まで挿入して、前記レバー部材が有するフック部を本体側の係止部に係止させる固定ロック位置に前記レバー部材を回動したときに、前記開閉カバーの閉止を可能とし、前記レバー部材が固定ロック位置まで回動されていない状態では、前記レバー部材が前記開閉カバーの閉止を妨害することを特徴としている。この構成によると、イオン発生カートリッジをイオン発生装置収容部の正規の位置に装着してロックした状態でない場合には、開閉カバーが閉止できないので、イオン発生カートリッジの装着不良を容易に検知することができる。
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】削除
【補正の内容】
【手続補正１６】
【補正対象書類名】明細書
【補正対象項目名】００２９
【補正方法】変更
【補正の内容】
【００２９】
さらに、本発明は、外部電源に接続すると共に信号の入出力を行う入出力コネクタ部と、プラスイオン発生電極とマイナスイオン発生電極とをそれぞれ設けたイオン発生器と、該イオン発生器が発生するイオンを検出するイオンセンサと、前記入出力コネクタ部を介して得られた電力によりイオン発生器を駆動制御する制御基板と、を備えたイオン発生カートリッジとしたことを特徴としている。
【手続補正１７】
【補正対象書類名】明細書
【補正対象項目名】００３０
【補正方法】変更
【補正の内容】
【００３０】
この構成によると、プラスイオンとマイナスイオンのそれぞれのイオン発生部を備えているので、プラス及びマイナスのイオンを同時に発生するカートリッジ式のイオン発生装置として取り扱い容易となる。また、イオンセンサを備えているので、正常に作動しているか否かを容易に確認できるイオン発生カートリッジを得ることができる。
【手続補正１８】
【補正対象書類名】明細書
【補正対象項目名】００３３
【補正方法】変更
【補正の内容】
【００３３】
また本発明は上記構成のイオン発生カートリッジにおいて、前記イオン発生カートリッジが、正負のイオン発生電極が露出しているイオン発生面を上から見て平面視矩形状であって、前記イオン発生器を、そのイオン発生電極部の正負の極性を逆として二段に並列した二段イオン発生器型とすると共に、前記イオン発生面を前記イオン発生カートリッジが装着される通流面に合致した曲面としたことを特徴としている。この構成によると、このイオン発生カートリッジを設置する通流面に矩形状の切欠部を設けることで、この通流面にイオン発生面を合致させて装着することが可能となるイオン発生カートリッジとなる。また、仕切られた通流路にプラス及びマイナスのイオンを同時に、また、交互に送出することも可能となる。
【手続補正１９】
【補正対象書類名】明細書
【補正対象項目名】００３４
【補正方法】変更
【補正の内容】
【００３４】
また本発明は上記構成のイオン発生カートリッジにおいて、前記二段イオン発生器型イオン発生カートリッジのそれぞれの段のイオン発生器を交互に作動させることを特徴としている。この構成によると、仕切られた通流路にプラス及びマイナスのイオンを交互に送出すると共に、寿命が２倍に延びるイオン発生カートリッジを得ることができる。
【手続補正２０】
【補正対象書類名】明細書
【補正対象項目名】００３５
【補正方法】変更
【補正の内容】
【００３５】
本発明によれば、イオン発生面を、送風機から吹出口に至る通流路の通流面に合致させてプラスイオンとマイナスイオンを通流路を通過する空気に含ませると共に、イオン発生装置収容部に着脱自在とするイオン発生装置を設けたイオン拡散装置としたので、メンテナンスが容易であると共に、プラスイオンとマイナスイオンとの衝突を抑制して中和させることなく室内の遠くまで送出可能なイオン拡散装置を得ることができる。また、イオン発生装置を、入出力コネクタ部とプラスイオンとマイナスイオンをそれぞれ発生するイオン発生器とイオンセンサと制御基板と、を備えたイオン発生カートリッジとしたので、プラス及びマイナスのイオンを同時にまた均等に発生するカートリッジ式のイオン発生装置として取り扱い容易となる。また、イオンセンサを備えているので、正常に作動しているか否かを容易に確認できるイオン発生カートリッジを得ることができる。
【手続補正２１】
【補正対象書類名】明細書
【補正対象項目名】００５４
【補正方法】変更
【補正の内容】
【００５４】
上記の構成であれば、それぞれのイオン発生部で発生するイオンを、隣接する異なる極性のイオンと衝突させずに送出可能となるので、室内の遠くまで均一に送出することができる。しかし、プラス及びマイナスのイオンを連続して同一の通流路を介して送出する方法では、プラス及びマイナスのイオンを均一に混在させることは困難であり、通流路が帯電したりして不都合が生じる場合がある。そのために、本実施形態においては、プラスイオン発生電極とマイナスイオン発生電極とを、それぞれ二個の発生電極を近接して設けたダブル電極型とするイオン発生器を二段に並列すると共に、それぞれのイオン発生器のイオン発生電極の極性を逆とする二段イオン発生器型のイオン発生カートリッジとした。
【手続補正２２】
【補正対象書類名】明細書
【補正対象項目名】００５８
【補正方法】変更
【補正の内容】
【００５８】
次に、上記のような構成としたイオン発生カートリッジについて図４を用いて説明する。このイオン発生カートリッジは、イオン発生装置１０をカートリッジ式にしたものであって同一構成部材であるので、同一の符合を用いてイオン発生カートリッジ１０として説明する。図４に示すイオン発生カートリッジ１０は、ダブル電極型のプラスイオン発生部１３Ａとマイナスイオン発生部１３Ｂとを備えるイオン発生器１２Ａと、ダブル電極型のマイナスイオン発生部１３Ｂとプラスイオン発生部１３Ａとを備えるイオン発生器１２Ｂとを二段に並列して設けた二段イオン発生器型である。
【手続補正２３】
【補正対象書類名】明細書
【補正対象項目名】００７２
【補正方法】変更
【補正の内容】
【００７２】
ガイド面１６は、レバー部材１４のフック部１４ｃを係止部２４ａ（図３（ａ）参照）に係止させて所定位置に固定する際に、下部横風向板２２Ａの裏面フレーム２３に当接して位置決めされる面である。このように、挿入端位置を規定する当り面１７と固定位置を規定するガイド面１６とが位置決めガイド部となる。
【手続補正２４】
【補正対象書類名】明細書
【補正対象項目名】００７３
【補正方法】変更
【補正の内容】
【００７３】
上記したように、イオン発生カートリッジ１０を収容するイオン発生装置収容部は、差込口６の内部に形成され、カートリッジの挿入端を規制する収容部フレーム２５と、カートリッジの側部を規制するガイドフレーム２４ｂと、カートリッジのイオン発生面を露出する切欠部２２ａと、カートリッジの固定位置を規制する裏面フレーム２３と、係止部２４ａを設ける構成とされていて、イオン発生カートリッジ１０の設置個数に応じたそれぞれのイオン発生装置収容部が配設されている。
【手続補正２５】
【補正対象書類名】明細書
【補正対象項目名】００７４
【補正方法】変更
【補正の内容】
【００７４】
レバー部材１４は、図３（ａ）に示すように、イオン発生カートリッジ１０に軸支部１４ｄを介して回動自在に装着されていて、アーム１４ｂとカートリッジ挿脱時に把持する取っ手部１４ａと、挿入した後で本体装置側に設ける係止部に係止して固定するフック部１４ｃとを設けている。そのために、取っ手部１４ａを把持して図中の矢印Ｄ１方向に回動操作して、前記フック部１４ｃを、本体装置側に設ける係止部２４ａに係止して位置固定することができる。
【手続補正２６】
【補正対象書類名】明細書
【補正対象項目名】００７５
【補正方法】変更
【補正の内容】
【００７５】
取っ手部１４ａは、軸支部１４ｄが形成されるアーム１４ｂから、操作容易となる所定角度屈曲して延設されている。また、フック部１４ｃは、回動するレバー部材１４のいずれにかに設ければよく、前記アーム１４ｂにでも、取っ手部１４ａにでも設けることができる。本実施形態においては、図３（ｂ）に示すように、取っ手部１４ａを前記アーム１４ｂから凸状に突出させて、この取っ手部１４ａの両側のアーム１４ｂの先端部に相当する部分に、本体装置側のフレーム２４に形成する係止部２４ａに係止する円弧状のフック部１４ｃを設ける構成とした。
【手続補正２７】
【補正対象書類名】明細書
【補正対象項目名】００７６
【補正方法】変更
【補正の内容】
【００７６】
そのために、フック部１４ｃがレバー部材１４の中間部に形成される構成となって、レバー部材１４の先端側に設けられる取っ手部１４ａを把持してレバー部材１４を回動操作して、係止部２４ａに係止して位置固定する操作と、前記フック部１４ｃを係止部２４ａから離脱して開放する操作とを、フック部１４ｃと係止部２４ａとの嵌め合い抵抗力よりも小さな力で行うことができ、操作容易となる。
【手続補正２８】
【補正対象書類名】明細書
【補正対象項目名】００８０
【補正方法】変更
【補正の内容】
【００８０】
当り面１７が収容部フレーム２５に当接するまでイオン発生カートリッジ１０を押し込んだ後、図２（ｂ）に示すように、レバー部材１４のフック部１４ｃを本体装置側の係止部２４ａに係止させるようにレバー部材１４を押し下げる。
【手続補正２９】
【補正対象書類名】明細書
【補正対象項目名】００８１
【補正方法】変更
【補正の内容】
【００８１】
レバー部材１４を押し下げて、フック部１４ｃを本体装置側の係止部２４ａに係止させる操作で、イオン発生カートリッジ１０を下部横風向板２２Ａに設ける切欠部２２ａに嵌め込むことができる。また、イオン発生カートリッジ１０の枠体の側面に設けるガイド面１６が、下部横風向板２２Ａの裏面フレーム２３に当接して、その嵌め込み姿勢が規定されるようにしている。
【手続補正３０】
【補正対象書類名】明細書
【補正対象項目名】００８２
【補正方法】変更
【補正の内容】
【００８２】
レバー部材１４のフック部１４ｃを本体装置側の係止部２４ａに係止させると、図２（ｃ）に示すように、イオン発生カートリッジ１０のイオン発生面を前記切欠部２２ａに露出した姿勢で固定する。この姿勢は、イオン発生面を通流面に合致させて露出した姿勢であって、イオン発生面で発生するイオンを送風気流に確実に放出することができる。
【手続補正３１】
【補正対象書類名】明細書
【補正対象項目名】００８３
【補正方法】変更
【補正の内容】
【００８３】
また、レバー部材１４のフック部１４ｃを本体装置側の係止部２４ａに係止させた状態では、開いた開閉カバー７を閉止可能としているが、図２（ａ）や図２（ｂ）のように、フック部１４ｃが固定されていない状態では、閉止しようとする開閉カバー７が、レバー部材１４の取っ手部１４ａに干渉する構成としている。この構成であれば、正規の位置にないレバー部材１４を用いて、開閉カバー７の閉止を妨害することができる。
【手続補正３２】
【補正対象書類名】明細書
【補正対象項目名】００９４
【補正方法】変更
【補正の内容】
【００９４】
さらに、ダブル電極型のイオン発生部を備えるイオン発生器を、そのイオン発生部のイオン発生電極の極性を逆として二段に並列した二段イオン発生器型のイオン発生カートリッジとしたので、同一空気流内にプラス及びマイナスのイオンを同時に、また、放出所定間隔で断続的に放出して、プラス及びマイナスの両イオンを所定密度で混在させることができる。
【手続補正書】
【提出日】平成21年12月28日(2009.12.28)
【手続補正１】
【補正対象書類名】特許請求の範囲
【補正対象項目名】全文
【補正方法】変更
【補正の内容】
【特許請求の範囲】
【請求項１】
プラズマ放電により発生させたプラスイオン及びマイナスイオンを室内に拡散させるイオン拡散装置において、
吸込口から吸い込んだ空気を、装置内に形成された通流路を通って吹出口から室内へ吹き出すための空気流を生成する送風機と、
プラスイオン発生部及びマイナスイオン発生部を有し、前記プラスイオン発生部から発生したプラスイオン及び前記マイナスイオン発生部から発生したマイナスイオンを前記通流路を通過する空気に含ませるイオン発生装置と、を設け、
前記通流路の壁面を形成する一面の通流面に合致させて、前記イオン発生装置のイオン発生面を露出する姿勢で、前記イオン発生装置を収容するイオン発生装置収容部を設け、
前記イオン発生装置を、前記吹出口側に設ける差込口から出し入れ可能として、
前記イオン発生装置を、プラスイオン発生部及びマイナスイオン発生部を有するイオン発生器と、前記イオン発生器を収納すると共に挿入ガイド部と位置決めガイド部と、装置本体側の係止部に係止して位置固定するレバー部材を一体に備えるイオン発生カートリッジとし、
前記挿入ガイド部と位置決めガイド部を介して、前記イオン発生装置を前記差込口から挿入して前記イオン発生装置収容部まで押し込み、前記位置決めガイドと前記レバー部材を介して、前記イオン発生面を前記通流面に合致させた姿勢で固定する構成として、前記イオン発生装置収容部に着脱自在としたことを特徴とするイオン拡散装置。
【請求項２】
前記イオン発生装置は、空気の通流方向に交差する方向にプラスイオン発生部及びマイナスイオン発生部を隔離するイオン発生器を含み、前記通流路に、プラスイオン発生部及びマイナスイオン発生部のそれぞれのイオン発生部毎の通流路に仕切る縦風向板を設けたことを特徴とする請求項１に記載のイオン拡散装置。
【請求項３】
前記下部横風向板と通流路の上部壁面を形成する上部横風向板との間の通流路を仕切る中間横風向板を設けて、前記送風機から前記吹出口に至る通流路を複数段の層流通路に仕切ると共に、
前記下部横風向板の通流面に沿ってプラスイオン発生部及びマイナスイオン発生部を交互に所定ピッチで一列に備える長尺なイオン発生面を形成するように前記イオン発生装置を複数併設し、
それぞれのイオン発生部毎の通流路に仕切る前記縦風向板を前記複数段の層流通路を貫通するように配設したことを特徴とする請求項２に記載のイオン拡散装置。
【請求項４】
前記縦風向板を、前記イオン発生装置を併設した幅方向に対して広角度に吹き出すようにそれぞれの縦風向板に角度を付けたことを特徴とする請求項３に記載のイオン拡散装置。
【請求項５】
前記イオン発生カートリッジが、外部電極に接続して入出力を行う入出力コネクタ部と、該入出力コネクタ部を介して得られた電力によりプラスイオン発生部及びマイナスイオン発生部を所定間隔で駆動制御する制御基板と、前記イオン発生部にて発生されるイオンを検出するイオンセンサとを備えていることを特徴とする請求項１から４のいずれかに記載のイオン拡散装置。
【請求項６】
前記イオンセンサを、前記イオン発生カートリッジのマイナスイオン発生部の風下側に設置するマイナスイオン検知センサとしたことを特徴とする請求項５に記載のイオン拡散装置。
【請求項７】
前記イオン発生器のプラスイオン発生部が備えるプラスイオン発生電極及びマイナスイオン発生部が備えるマイナスイオン発生電極とを、それぞれ二個の発生電極を近接して設けたダブル電極型としたことを特徴とする請求項１から６のいずれかに記載のイオン拡散装置。
【請求項８】
前記イオン発生カートリッジを、前記イオン発生器を二段に並列すると共に、それぞれのイオン発生器のプラスイオン発生電極とマイナスイオン発生電極を、その正負の極性を逆とした二段イオン発生器型としたことを特徴とする請求項１から７のいずれかに記載のイオン拡散装置。
【請求項９】
前記二段イオン発生器型イオン発生カートリッジのそれぞれの段のイオン発生器を交互に作動させることを特徴とする請求項８に記載のイオン拡散装置。
【請求項１０】
前記差込口を閉止・開放する開閉カバーを設け、前記イオン発生カートリッジを所定位置まで挿入して、前記レバー部材が有するフック部を本体側の係止部に係止させる固定ロック位置に前記レバー部材を回動したときに、前記開閉カバーの閉止を可能とし、前記レバー部材が固定ロック位置まで回動されていない状態では、前記レバー部材が前記開閉カバーの閉止を妨害することを特徴とする請求項１から９のいずれかに記載のイオン拡散装置。
【請求項１１】
装置本体に運転停止操作部を設けると共に、該操作部に、前記送風機の回転速度を設定する運転モード設定部と、新たなイオン発生カートリッジを装着したことを設定するカートリッジ装着時期設定部と、タイマー設定部と、新たなイオン発生カートリッジを装着して運転開始後の所定時間経過後に、カートリッジ交換を推奨する交換推奨表示部と、それぞれのイオン発生カートリッジが発生するイオンが所定量以上か以下かを表示するレベル表示部とを配設したことを特徴とする請求項１から１０のいずれかに記載のイオン拡散装置。
【請求項１２】
前記一面が前記通流路の下部壁面を形成する下部横風向板から形成されたことを特徴とする請求項１に記載のイオン拡散装置。
【手続補正３】
【補正対象書類名】明細書
【補正対象項目名】０００１
【補正方法】変更
【補正の内容】
【０００１】
本発明は、イオン発生装置と送風機を備えるイオン拡散装置に関し、特に、イオン発生装置を交換容易として安定したイオン供給能力を維持可能なイオン拡散装置に関する。
【手続補正４】
【補正対象書類名】明細書
【補正対象項目名】００１１
【補正方法】変更
【補正の内容】
【００１１】
そこで本発明は、上記問題点に鑑み、イオン発生装置を着脱自在な構成としてメンテナンスを容易とすると共に、プラスイオンとマイナスイオンを均等に発生しながら、室内の遠くまで送出可能なイオン拡散装置を提供することを目的とする。
【手続補正５】
【補正対象書類名】明細書
【補正対象項目名】００１２
【補正方法】変更
【補正の内容】
【００１２】
上記目的を達成するために本発明は、プラズマ放電により発生させたプラスイオン及びマイナスイオンを室内に拡散させるイオン拡散装置において、吸込口から吸い込んだ空気を、装置内に形成された通流路を通って吹出口から室内へ吹き出すための空気流を生成する送風機と、プラスイオン発生部及びマイナスイオン発生部を有し、前記プラスイオン発生部から発生したプラスイオン及び前記マイナスイオン発生部から発生したマイナスイオンを前記通流路を通過する空気に含ませるイオン発生装置と、を設け、前記通流路の壁面を形成する一面の通流面に合致させて、前記イオン発生装置のイオン発生面を露出する姿勢で、前記イオン発生装置を収容するイオン発生装置収容部を設け、前記イオン発生装置を、前記吹出口側に設ける差込口から出し入れ可能として、前記イオン発生装置を、プラスイオン発生部及びマイナスイオン発生部を有するイオン発生器と、前記イオン発生器を収納すると共に挿入ガイド部と位置決めガイド部と、装置本体側の係止部に係止して位置固定するレバー部材を一体に備えるイオン発生カートリッジとし、前記挿入ガイド部と位置決めガイド部を介して、前記イオン発生装置を前記差込口から挿入して前記イオン発生装置収容部まで押し込み、前記位置決めガイドと前記レバー部材を介して、前記イオン発生面を前記通流面に合致させた姿勢で固定する構成として、前記イオン発生装置収容部に着脱自在としたことを特徴としている。
【手続補正６】
【補正対象書類名】明細書
【補正対象項目名】００１３
【補正方法】変更
【補正の内容】
【００１３】
この構成によると、イオン発生面を通流路の通流面に合致させた姿勢に露出し、イオン発生装置収容部に着脱自在としたイオン発生装置を設けているので、メンテナンスが容易であると共に、イオン発生面から放出されるイオンを通流面に沿った層流に乗せて放出可能となって、プラスイオンとマイナスイオンとの衝突を抑制して中和させることなく室内の遠くまで送出可能なイオン拡散装置を得ることができる。さらに、挿入ガイド部と位置決めガイド部とレバー部材を一体に備えるカートリッジ式のイオン発生装置としたので、メンテナンスが容易なイオン発生装置となる。また、下部横風向板の通流面に合致した曲面とされるイオン発生面を、下部横風向板に設ける切欠部に正確に露出させて固定することができる。
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００２９
【補正方法】変更
【補正の内容】
【００２９】
また本発明は上記構成のイオン拡散装置において、前記一面が前記通流路の下部壁面を形成する下部横風向板から形成されたことを特徴としている。この構成によると、下部横風向板の通流面に沿って、プラス及びマイナスのイオンを室内の水平方向に送出するイオン拡散装置を得ることができ、人が居住する室内領域に向けてプラス及びマイナスのイオンを放出可能となる。
【手続補正１０】
【補正対象書類名】明細書
【補正対象項目名】００３０
【補正方法】削除
【補正の内容】
【手続補正１１】
【補正対象書類名】明細書
【補正対象項目名】００３１
【補正方法】削除
【補正の内容】
【手続補正１２】
【補正対象書類名】明細書
【補正対象項目名】００３２
【補正方法】削除
【補正の内容】
【手続補正１３】
【補正対象書類名】明細書
【補正対象項目名】００３３
【補正方法】削除
【補正の内容】
【手続補正１４】
【補正対象書類名】明細書
【補正対象項目名】００３４
【補正方法】削除
【補正の内容】
【手続補正１５】
【補正対象書類名】明細書
【補正対象項目名】００３５
【補正方法】変更
【補正の内容】
【００３５】
本発明によれば、イオン発生面を、送風機から吹出口に至る通流路の通流面に合致させてプラスイオンとマイナスイオンを通流路を通過する空気に含ませると共に、イオン発生装置収容部に着脱自在とするイオン発生装置を設けたイオン拡散装置としたので、メンテナンスが容易であると共に、プラスイオンとマイナスイオンとの衝突を抑制して中和させることなく室内の遠くまで送出可能なイオン拡散装置を得ることができる。さらに、挿入ガイド部と位置決めガイド部とレバー部材を一体に備えるカートリッジ式のイオン発生装置としたので、メンテナンスが容易なイオン発生装置となる。また、下部横風向板の通流面に合致した曲面とされるイオン発生面を、下部横風向板に設ける切欠部に正確に露出させて固定することができる。